(57)【要約】【課題】照明器具本体内と外部に設けられているボックス間との間で空気呼吸が確実に行われ、且つ、照明器具本体内に水滴が侵入するのを確実に防止することを目的とする。【解決手段】ねじ込み式グローブ１が締めつけ固定されている照明器具本体２は壁８に取り付けられ、この照明器具本体２にボックス５が取り付け用ねじ１０、１１によって取り付けられている。照明器具本体２に取り付けられているリード線パッキン６は、ボックス５内に向けて下方に傾斜し端部がボックス５内に突出する筒状に形成され、このパッキン内には、１〜２ミリ以下の複数の空気流通孔６０と、電源線４が密着状態で通過する電源線通過孔６１が形成されている。【選択図】    図１
2005135768.tif 000002
【特許請求の範囲】
【請求項１】
相対的に高湿環境と低湿環境となる空間を仕切る壁に設置される照明器具であって、光源を備えるグローブが取り付けられる照明器具本体が前記高湿環境の空間に設置され、前記光源に対して電流を供給するための電源線の取り入れ口を備えたボックスが前記低湿環境の空間に設置され、前記ボックスから前記照明器具本体に前記電源線を導くためのリード線パッキンを設けた照明器具において、
前記リード線パッキンは、前記ボックス内に向けて下方に傾斜し端部が前記ボックス内に突出する筒状に形成され、
該筒状のリード線パッキン内には、前記照明器具本体内と前記ボックス内との間を連通する複数の１〜２ミリ以下の空気流通孔と、前記電源線を密着状態で通す電源線通過孔とが該パッキンの傾斜方向と平行に設けられ、前記空気流通孔と前記電源線通過孔とはそれぞれ独立して設けられていることを特徴とする照明器具。
【請求項２】
前記リード線パッキンの前記ボックス側の端部上下位置にリブを設けたことを特徴とする請求項１記載の照明器具。
【請求項３】
前記リード線パッキンの前記ボックス側の端面に凹部を設けたことを特徴とする請求項１または２記載の照明器具。
【発明の詳細な説明】
【技術分野】
【０００１】
本発明は、浴場、サウナ室、室外等に設置される防湿構造を持つ照明器具に関する。
【背景技術】
【０００２】
浴場、サウナ室、室外等に設置される防湿構造を持つ照明器具は、相対的に高湿環境となる空間に照明器具本体が設置され、相対的に低湿環境となる空間に電源線の取り入れ口を備えたボックスが設置される。たとえば、浴場では、光源が内蔵されたグローブが室内に位置するよう照明器具本体が浴場内の壁に設置され、その壁に孔が開けられて壁の外側に電源線を取り入れるためのボックスが設置される。そして、ボックスと照明器具本体間にリード線を通すためのリード線パッキンが設けられる。
【０００３】
このような照明器具では、照明器具本体に一定の密閉構造が採用されるために、ランプ（光源）の点滅による温度変化に応じて照明器具本体内の気圧差が比較的大きくなる傾向がある。一定の防湿性能を満たすためには、この気圧差に耐えるように密閉構造を工夫することが必要であるが、従来は、この大きな気圧差に耐えるような密閉構造を得るために、照明器具本体に対しグローブを強く締めつけ、且つ、グローブと照明器具本体間のグローブパッキンも完璧に施す等の工夫をしていた。
【０００４】
また、リード線パッキンから照明器具本体内に雨水等の浸水を防止するために該リード線パッキンを下方に傾斜した構造について提案されているものもある（たとえば、特許文献１参照）。
【０００５】
この構造によれば、電源線の取り入れ口において、電源線が下方に強制的に傾斜する構成となるために、この電源線を伝って照明器具本体内に浸水するのを防止することが可能になる。
【特許文献１】特開２００３−１６８３２０号公報
【発明の開示】
【発明が解決しようとする課題】
【０００６】
ところが、グローブを強く締めつけると、上記グローブパッキンのヘタリが発生し、防湿性能・防水性能が低下する不具合があり、また、ランプ交換時の操作に再度大きな力が必要になる等操作性が悪くなる不都合があった。
【０００７】
そこで、上記の不都合を解消するために、照明器具本体に通気孔を設け、ランプ点滅の温度変化による気圧差を軽減する方法が考えられるが、高湿度の空間に設置される照明器具においては、通常の通気孔を設けると湿気流入による漏電や感電等の危険が生じるため好ましく方法とは言えない。
【０００８】
また、上記特許文献１に示される図１２に示されるような構造では、リード線が下方に傾斜していることによってこのリード線を伝う浸水をある程度防ぐことができるが、リード線周囲がパッキン内に密着している構造ではないために、防湿は必ずしも完璧とはいえない問題がある。また、パッキン内に設けられる電源線通過孔が電源線の径よりも十分に大きく設定されているために、結果として、この電源線通過孔を介して照明器具本体内と外部との空気呼吸が行われることになるが、この電源線通過孔の径が電源線の径に比べてかなり大きいために、この通過孔を介して浸水する可能性がある。また、この電源性通過孔が１つであるために、電源線通過孔が水滴で塞がれると、ランプ室内の気圧差によってこの水滴が照明器具本体内に吸い込まれる可能性もある。
【０００９】
本発明は、上記に鑑みてなされたものであり、照明器具本体内と外部に設けられているボックス間との間で空気呼吸が確実に行われ、且つ、照明器具本体内に水滴が侵入するのを確実に防止することを目的とする。
【課題を解決するための手段】
【００１０】
本発明に係る照明器具は、相対的に高湿環境と低湿環境等からなる空間を仕切る壁に設置されるものであって、光源を備えるグローブが取り付けられる照明器具本体は高湿環境の空間に設置され、光源に対して電流を供給するための電源線の取り入れ口を備えたボックスは低湿環境の空間に設置される。そして、ボックスから照明器具本体に対して電源線を導くためのリード線パッキンが照明器具本体に設けられる。
【００１１】
以上の構成を備える照明器具において、リード線パッキンは、ボックス内に向けて下方に傾斜し端部がボックス内に突出する筒状に形成されている。また、前記筒状のリード線パッキン内には、照明器具本体内とボックス内との間を連通する複数の1 〜２ミリ以下の空気流通孔と、電源線を密着状態で通す電源線通過孔とが設けられ、これらの空気流通孔と電源線通過孔とはそれぞれ独立して設けられている。
【００１２】
上記の構成により、照明器具本体内とボックス内とは複数の空気流通孔により常時空気呼吸を行うことが可能である。したがって、グローブ内の光源（ランプ）の点滅によりグローブ内の温度変化が大きくなった場合でも、それによる照明器具本体内に気圧差が生じることはない。これにより、グローブを過大に締めつけなくてもよいため、グローブパッキンのヘタリ等を防止することができる。
【００１３】
また、リード線パッキンはボックス内に向けて下方に傾斜し端部がボックス内に突出する筒状に形成されているため、施工時の不備等によって壁面を伝ってボックス内に浸水した場合でも、この壁面を伝う水滴がパッキンから照明器具本体内に浸水するのを防ぐことができる。
【００１４】
また、前記空気流通孔は１〜２ミリ以下で且つ複数個設けられているために、水滴の表面張力によって空気流通孔内に水滴が侵入するのを防ぐことができ、また、複数個設けることによって、一つの空気流通孔の端面が水滴で覆われても、他方の空気流通孔がそうでない限り、その空気流通孔により空気呼吸が可能となる。したがって、１つの空気流通孔の端面を覆う水滴が照明器具本体内に吸い込まれることがなくなる。
【００１５】
また、電源線通過孔では電源線が密着状態であるために、この電源線の表面を伝って水滴が照明器具本体内に侵入するのを防止することができる。
【００１６】
なお、リード線パッキンのボックス側端部上下位置にリブを設けることにより、水滴が空気流通孔に付着するのをより確実に防止することができる。また、リード線パッキンのボックス側端面に凹部を設けることにより、筒状のリード線パッキン周面を伝ってきた水滴が空気流通孔に付着するのを防止することができる。
【発明の効果】
【００１７】
本発明の照明器具は、照明器具本体とボックスとの間で常時空気呼吸をできるようにしながら、且つその空気流通孔及び電源線を密着状態で通す電源線通過孔を介してボックス内に侵入した水滴が照明器具本体内に侵入するのを確実に防止することができる。このため、グローブ内への湿気の流入を防ぎつつ、グローブ内の光源（ランプ）の点滅によりグローブ内に温度差が生じても、このグローブ内の気圧は常に一定とすることができるから、グローブの締めつけ力を大きくしなくてもよくなり、これによりグローブパッキンのヘタリを防止することができ、且つランプ交換時の操作性を良くすることができる。
【発明を実施するための最良の形態】
【００１８】
図１は、本発明の実施形態であるサウナ室用の照明器具の断面図を示している。図２はその一部拡大図である。
【００１９】
この照明器具は、ねじ込み式グローブ１が取り付けられる照明器具本体２と、グローブ１内の光源に対して電流を供給するための電源線４の取り入れ口を備えたボックス５とで構成され、照明器具本体２ほぼ中央の位置には、ゴム等で構成されるリード線パッキン６が設けられている。
【００２０】
照明器具本体２に対しては、ねじ込み式グローブ１が公知の方法でねじ込まれるが、この本体２とねじ込み式グローブ１との間には防湿・防水性能を高めるためにグローブパッキン７が設けられている。
【００２１】
サウナ室の壁８には開口８０が形成され、この開口８０の位置において、室内側には壁面パッキン９を介して照明器具本体２が固定されている。照明器具本体２の固定には、取り付け用ねじ１０、１１が使用され、この取り付け用ねじ１０、１１により照明器具本体２、壁面パッキン９、及びボックス５を固定する。さらに、他の取り付け用ねじ（図示せず）によって、照明器具本体２を壁８に固定している。また、締め付けようねじ１３、１４によって、壁面パッキン９、照明器具本体２、リード線パッキン６、ソケット台１５を締め付けている。
【００２２】
前記リード線パッキン６は、本実施形態では照明器具本体２と別に構成され、上記取り付け用ねじ１０、１１により照明器具本体２に締めつけ固定される。
【００２３】
また、図示のように、このリード線パッキン６は、取り付け時に、ボックス５内に向けて下方に傾斜し、端部がボックス５内に突出する筒状に形成されている。このリード線パッキン６内には、照明器具本体２内とボックス５内との間を連通する複数の１〜２ミリ以下の空気流通孔６０と、電源線４を密着状態で通す電源線通過孔６１とがパッキン６の傾斜方向と平行に設けられている。また、この空気流通孔６０と電源線通過孔６１とがそれぞれ独立して設けられている。
【００２４】
ボックス５には、電線管１2 が取り付けられ、ボックス５には、この電線管１2 内の電源線４を引き込む電源線取り入れ口が設けられている。ボックス５内に引き込まれた電源線４は、それぞれ電源線通過孔６１を密着状態で通され、照明器具本体２内に導かれて、光源３の電源端子に接続される。
【００２５】
以上の構成からなるサウナ室用照明器具では次の作用効果がある。
【００２６】
（１）光源３が点灯し、グローブ１内の温度が上がるとグローブ内の気圧も上がろうとする。また、光源３が消灯するとグローブ１内の温度が下がることによりグローブ１内の気圧が下がろうとする。しかし、リード線パッキン６にはボックス５内との間で空気呼吸をするのに十分な複数の空気流通孔６０が設けられているために、グローブ１内での気圧差は生じない。このため、グローブ１を照明器具本体２に対して強く締めつけなくても、サウナ室内から隙間（グローブパッキン７のある場所等）を介してグローブ１内に湿気が流入するのを防止することができる。すなわち、グローブパッキン７に過大な締めつけ力が作用しないため、このパッキンのヘタリが発生したりして防湿性能や防水性能が低下するのを防ぐことができる。
【００２７】
（２）上記空気流通孔６０が複数個設けられているため、仮に１つの空気流通孔６０のボックス側の端面に水滴が付着したとしても、他の空気流通孔６０によって上記空気呼吸を行うため、空気流通孔６０の端面に付着した水滴が気圧差によってグローブ１内に吸い込まれるということがなくなる。
【００２８】
（３）空気流通孔６０は、１〜２ミリ以下の径であるために、その端面に付着した水滴は表面張力が作用することによりグローブ１内に吸い込まれにくくなる。
【００２９】
（４）空気流通孔６０は、ボックス内において下方に傾斜しているために、この空気流通孔６０を介して水滴がグローブ内に侵入することを防ぐことができる。
【００３０】
（５）電源線４は電源線通過孔６１を密着状態で通過しているために、電源線４の表面を伝って湿気がグローブ１内に侵入することがない。
【００３１】
（６）リード線パッキン６の端部がボックス５内に突出する筒状に形成されているために、図２に示すように室外の水滴Ｈが施工時の不備等によって万が一ボックス５内に侵入した場合でも、その水滴Ｈは空気流通孔６０の端面に達することがない。
【００３２】
なお、リード線パッキン６は、ボックス５のほぼ中央部付近に位置するように取り付けられる。このようにすることで、水滴Ｈが伝わる経路から空気流通孔６０及び電源線通過孔６１を十分に離すことができる。
【００３３】
このように、上述の空気呼吸により、サウナ室内に比較して低湿環境にある壁８の外側（たとえば、外気）から、湿度の低い空気が照明器具本体２内に侵入する構造となっているために、照明器具本体２内を、常に湿度の低い雰囲気に保つことができるとともに、リード線パッキン６の形状を工夫することで、ボックス５側から照明器具本体２内に対して水滴、湿気が侵入しないようにすることができる。したがって、光源３の点滅が繰り返されてもグローブ１内の気圧がほぼ一定に保たれ、それ故気圧差を原因として高湿状態にあるサウナ室内の湿度の高い空気がグローブ１内に侵入するのを防ぐことができる。すなわち、グローブ１を照明器具本体２に対して強く締めつけなくてもよくなる。
【００３４】
図３（Ａ）〜（Ｃ）は、本実施形態の照明器具に適用可能なリード線パッキンの例を示している。
【００３５】
図３（Ａ）は図１に示したリード線パッキンを示す。
【００３６】
図３（Ｂ）は、リード線パッキン６の端部上下位置にリブ６２を設けた例を示している。この構造によれば、ボックス５内に万一水滴Ｈが侵入し、リード線パッキン６０の表面を伝ってきたとしても、この水滴Ｈはリブ６２で遮られ、空気流通孔６０の端面に達するのを防止することができる。
【００３７】
図３（Ｃ）は、リード線パッキン６のボックス側の端面に凹部６３を設けた例である。この構造では、万一、水滴Ｈがボックス５内に侵入しリード線パッキン６の表面を伝ってきても、凹部６３があるために、この水滴Ｈが空気流通孔６０の端面に達するのを防ぐことができる。
【００３８】
本発明の照明器具は、上記実施形態のようなサウナ灯に限らず、浴室用照明器具や、室外照明器具等にも適用することが可能である。
【図面の簡単な説明】
【００３９】
【図１】本発明の実施形態であるサウナ用の照明器具の断面構成図
【図２】上記図１の部分拡大図
【図３】リード線パッキンの構成例
【図１】
2005135768.tif 000003
【図２】
2005135768.tif 000004
【図３】
2005135768.tif 000005